(57)【特許請求の範囲】
【請求項１】
就寝者からの荷重に応じて弾性変形する弾性部材が複数配設されることにより、前記就寝者からの前記荷重を分散して、前記就寝者に作用する圧力値を低減する体圧分散機能を備えた弾性部材層をそれぞれ有する第一弾性体ユニットおよび第二弾性体ユニットを備えたマットレスであって、
前記第一弾性体ユニットは、前記就寝者の臀部を支持し、
前記第二弾性体ユニットは、前記就寝者の肩部を支持し、
前記第二弾性体ユニットの前記弾性部材層の上面の位置は、前記第一弾性体ユニットの前記弾性部材層の上面の位置より上下方向において下方となるように設定されているマットレス。
【請求項２】
前記第二弾性体ユニットの前記弾性部材層の前記上面の位置は、前記就寝者の前記マットレスと接触する部位のうち、前記就寝者に作用する前記圧力値が所定圧力値より大きくなる部位を、減少させるように設定されている請求項１記載のマットレス。
【請求項３】
前記第二弾性体ユニットの前記弾性部材層の前記上面の位置は、前記就寝者の肩峰幅と腋幅との差に基づいて設定されている請求項１または請求項２記載のマットレス。
【請求項４】
前記第一弾性体ユニットは、前記第一弾性体ユニットの前記弾性部材層の前記上面に配設され、弾性体によって形成された第一上層をさらに備え、
前記第二弾性体ユニットは、前記第二弾性体ユニットの前記弾性部材層の前記上面に配設され、弾性体によって形成された第二上層をさらに備え、
前記第二上層の厚みは、前記第一上層の厚みより厚くなるように設定され、
前記第二上層の上面は、凹凸状に形成されている請求項１乃至請求項３の何れか一項記載のマットレス。
【請求項５】
前記弾性部材は、熱可塑性エラストマーによって、柱状に形成されている請求項１乃至請求項４の何れか一項記載のマットレス。
【発明の詳細な説明】
【技術分野】
【０００１】
本発明は、マットレスに関する。
【背景技術】
【０００２】
マットレスの一形式として、特許文献１に示されているものが知られている。マットレスは、特許文献１の図１に示すように、台座６の平板面６ａ上に就寝者からの荷重に応じて弾性変形可能な柱状部材７が複数配設された弾性体ユニット１を３つ備えている。弾性体ユニット１は、柱状部材７が就寝者からの荷重を分散するように弾性変形して、就寝者に作用する圧力値を低減する体圧分散機能を発揮する。これにより、就寝者は、快適なマットレスの使用感を得ることができる。
【先行技術文献】
【特許文献】
【０００３】
【特許文献１】特開２００３−３３９４８４号公報
【発明の概要】
【発明が解決しようとする課題】
【０００４】
しかしながら、一般的に、身体のラインにおいて、背骨からの突出量は、臀部より肩部の方が大きい。よって、横向きである就寝者の肩部からの弾性体ユニット１に作用する荷重が、仰向けである就寝者の臀部からの弾性体ユニット１に作用する荷重より大きくなる場合がある。この場合、柱状部材７の変形量が、就寝者からの荷重を十分に分散できる変形量の範囲を超えて大きくなるときがある。このとき、就寝者の肩部において、弾性体ユニット１の体圧分散機能が十分に発揮されない。一方、就寝者が横向きである場合においても、体圧分散性を向上させたい要請がある。
【０００５】
そこで、本発明は、上述した課題を解消するためになされたもので、就寝者が横向きである場合においても、体圧分散性を向上することができるマットレスを提供することを目的とする。
【課題を解決するための手段】
【０００６】
上記の課題を解決するため、請求項１に係るマットレスは、就寝者からの荷重に応じて弾性変形する弾性部材が複数配設されることにより、就寝者からの荷重を分散して、就寝者に作用する圧力値を低減する体圧分散機能を備えた弾性部材層をそれぞれ有する第一弾性体ユニットおよび第二弾性体ユニットを備えたマットレスであって、第一弾性体ユニットは、就寝者の臀部を支持し、第二弾性体ユニットは、就寝者の肩部を支持し、第二弾性体ユニットの弾性部材層の上面の位置は、第一弾性体ユニットの弾性部材層の上面の位置より上下方向において下方となるように設定されている。
【発明の効果】
【０００７】
これによれば、就寝者の肩部を支持する第二弾性体ユニットの弾性部材層の上面の位置は、就寝者の臀部を支持する第一弾性体ユニットの弾性部材層の上面の位置より上下方向において下方となるように設定されている。よって、第二弾性体ユニットの弾性部材層の上面が第一弾性体ユニットの弾性部材層の上面と上下方向において同じ位置である場合と比べて、第二弾性体ユニットの弾性部材層において、横向きである就寝者の肩部からの荷重による弾性部材の上下方向の変形量を低減させることができる。したがって、弾性部材の変形量が、就寝者からの荷重を十分に分散できる範囲を超えて大きくなることを抑制することができるため、就寝者が横向きである場合においても、第二弾性体ユニットの弾性部材層ひいてはマットレスの体圧分散性を向上することができる。
【図面の簡単な説明】
【０００８】
【図１】本発明の一実施形態におけるマットレスの上面図である。
【図２】図１に示すマットレスの側断面図である。
【図３】図２に示す弾性部材の側面図である。
【図４】図２に示す弾性部材における弾性部材に作用する荷重とその荷重によって生じる変化量との相関関係を示す図である。
【図５】従来のマットレスに、就寝者が横向きに就寝した場合におけるマットレスの状態を示す側断面図である。
【図６】図１に示すマットレスに、就寝者が横向きに就寝した場合におけるマットレスの状態を示す側断面図である。
【図７】就寝者の肩峰幅および脇幅を示す図である。
【図８】図１に示すマットレスに就寝者が横向きに就寝したときに、就寝者に作用する圧力値の分布を示す図である。
【図９】従来のマットレスに就寝者が横向きに就寝したときに、就寝者に作用する圧力値の分布を示す図である。
【発明を実施するための形態】
【０００９】
以下、本発明によるマットレス１の一実施形態について図面を参照しながら説明する。なお、本明細書においては説明の便宜上、図１における左側および右側をそれぞれマットレス１の前方および後方とし、同じく紙面手前側および紙面奥側を、それぞれマットレス１の上方および下方として説明する。また、図１および図２には、各方向を示す矢印を示している。
【００１０】
マットレス１は、例えばベッドの上に敷かれて使用される敷物である。マットレス１は、図１および図２に示すように、ベース部材１０、第一弾性体ユニット２０および二つの第二弾性体ユニット３０を備えている。
ベース部材１０は、例えば発泡ウレタン等の弾性体によって形成されている。ベース部材１０には、上方に向けて平面方形状に開口する有底の凹部１０ａが形成されている。
【００１１】
第一弾性体ユニット２０は、凹部１０ａの前後方向中央部に配設されている。第一弾性体ユニット２０は、前方に頭部を向けた就寝者の臀部を少なくとも支持する位置に配設されている。第一弾性体ユニット２０は、図２に示すように、上下方向に重なる三層構造に形成され、下方から順に、下の層である台座層２１、中間の層である第一弾性部材層２２（特許請求の範囲の弾性部材層に相当）および上の層である第一上層２３を備えている。
【００１２】
台座層２１は、底面が凹部１０ａの底面に接触するように配設されている。台座層２１は、直方体状に、例えば発泡ウレタン等の弾性体によって形成されている。この弾性体の硬度は、第一弾性部材層２２の硬度より高くなるように設定されている。これにより、台座層２１は、台座層２１の上面に配設された第一弾性部材層２２を、就寝者からの荷重によって変形させて後述する体圧分散機能を発揮させるように、支持することができる。なお、この硬度は、例えば、所定の圧子によって所定の荷重を与えた場合の変形量の大きさを測定するデュロメータ硬さ（ＪＩＳ  Ｋ６２５３）である。所定の荷重に対して変形量が小さいほど、硬度が高い。
【００１３】
第一弾性部材層２２は、台座層２１の上面に配設されている。第一弾性部材層２２は、複数の弾性部材２２ａおよび弾性部材２２ａを収納する収納部材２２ｂを備えている。弾性部材２２ａは、熱可塑性エラストマーによって形成されている。熱可塑性エラストマーは、具体的には、スチレン系エラストマーであり、スチレン系ベースポリマーにオイルを含有させたものである。これにより、弾性部材２２ａは、比較的低い硬度の弾性体に形成されている。また、弾性部材２２ａは、円柱状に形成されている。具体的には、弾性部材２２ａは、外径４７ｍｍ、高さ３０ｍｍの円柱状に形成されている。弾性部材２２ａは、底面が台座層２１に接触するように配設され、上方に向かって延びるように配設されている。
【００１４】
また、弾性部材２２ａは、就寝者からの荷重に応じて弾性変形をするものである。弾性部材２２ａは、就寝者からの荷重を分散して、就寝者に作用する圧力値を低減する体圧分散機能を備えている。具体的には、弾性部材２２ａは、図３に示すように、荷重が作用していない状態である弾性部材２２ａ（実線にて示す）の上面に、下方に向かって荷重Ｆが作用した場合、破線にて示すように、上下方向の変形量Ｈが生じるとともに、弾性部材２２ａの上面の面積が増加するように変形する。すなわち、弾性部材２２ａは、就寝者からの荷重に対して、荷重が作用する面積を増加させるように変形することで、就寝者に作用する圧力値を低減する。
【００１５】
ここで、弾性部材２２ａの上面に下方に向けて作用する荷重Ｆと、荷重Ｆによって生じる変形量Ｈとの相関関係について、図４を用いて説明する。図４において、弾性部材２２ａの相関関係Ｒｄは、実線にて示されている。また、図４には、一般的なコイルスプリングの相関関係Ｒｓが一点破線にて、一般的な発泡ウレタンの相関関係Ｒｕが破線にて示されている。なお、それぞれの相関関係を比較できるように、荷重Ｆ１のときの変形量Ｈが１５ｍｍとなるようにそれぞれ形成されている。
【００１６】
弾性部材２２ａは、変形量Ｈが１５ｍｍより大きい場合、変形量Ｈが１５ｍｍ以下である場合と比べて、荷重Ｆの変化率に対する変形量Ｈの変化率が著しく小さくなるため、弾性部材２２ａの上面の面積の変化率についても著しく少なくなる。よって、弾性部材２２ａにおいて、変形量Ｈが１５ｍｍより大きい場合、就寝者からの荷重が十分に分散されないため、弾性部材２２ａの体圧分散機能が低下する。
【００１７】
また、弾性部材２２ａは、１５ｍｍ以下の変形量Ｈにて使用される場合、コイルスプリングおよび発泡ウレタンと比べて、同じ荷重Ｆによって生じる変形量Ｈが大きい。よって、弾性部材２２ａは、１５ｍｍ以下の変形量Ｈにて使用される場合、コイルスプリングおよび発泡ウレタンと比べて、就寝者からの荷重を十分に分散して、就寝者に作用する圧力値を低減させることができる。すなわち、弾性部材２２ａは、１５ｍｍ以下の変形量Ｈにて使用される場合、良好な体圧分散機能を発揮するように形成されている。
【００１８】
また、弾性部材２２ａは、図１に示すように、上面視において、千鳥状に配設されている。弾性部材２２ａの個数や弾性部材２２ａ間の距離等は、仰向けである就寝者に対して、就寝者のマットレス１と接触する部位のうち、就寝者に作用する圧力値が所定圧力値より大きくなる部位を、減少させるように設定されている。所定圧力値は、およそ５．３ｋＰａ（４０ｍｍＨｇ）である。一般的に、就寝者に作用する圧力値が所定圧力値以下である場合、褥瘡（床ずれ）を抑制する効果がある。弾性部材２２ａの個数や弾性部材２２ａ間の距離等は、実験等により実測されて設定されている。
【００１９】
収納部材２２ｂは、図２に示すように、直方体状に形成されている。収納部材２２ｂは、上下方向に貫通し、弾性部材２２ａを同軸的に収納する収納穴２２ｂ１が、弾性部材２２ａの配置位置に合わせて複数形成されている。収納部材２２ｂは、例えば発泡ウレタン等の弾性体によって形成されている。この弾性体の硬度は、弾性部材２２ａの硬度より低く設定されている。これにより、収納部材２２ｂが、弾性部材２２ａの変形の妨げにならないようになっている。
このように、第一弾性部材層２２は、就寝者からの荷重に応じて弾性変形する弾性部材２２ａが複数配設されることにより、就寝者からの荷重を分散して、就寝者に作用する圧力値を低減する体圧分散機能を備えている。
【００２０】
第一上層２３は、第一弾性部材層２２の上面に配設され、例えば弾性部材２２ａの破損等を防止して、第一弾性部材層２２を保護するものである。第一上層２３は、例えば発泡ウレタン等の弾性体によってシート状に形成されている。この弾性体の硬度は、第一弾性部材層２２の保護のため、第一弾性部材層２２の硬度より高くなるように形成されている。さらに、第一上層２３の上面は、第一弾性部材層２２の保護のため、ラミネート加工されている。ラミネート加工は、例えば樹脂製のフィルムを接合する表面加工である。
【００２１】
また、第一上層２３の厚みは、比較的薄肉に形成されている。これにより、第一上層２３が比較的厚肉に形成されている場合と比べて、就寝者からの荷重に対する第一上層２３の変形量が大きくなるため、第一上層２３は、就寝者からの荷重を第一弾性部材層２２に伝達することができる。よって、第一上層２３が第一弾性部材層２２の変形を妨げないため、第一弾性部材層２２は、体圧分散機能を発揮できる。第一上層２３の厚みは、例えば５ｍｍである。
また、就寝者からの荷重を第一弾性部材層２２に伝達することができるように、第一上層２３の厚みを比較的薄く形成した場合においても、第一上層２３の上面がラミネート加工されているため、第一上層２３の上面の強度を比較的高くすることができる。よって、第一上層２３は、第一弾性部材層２２を確実に保護することができる。
【００２２】
また、第一弾性体ユニット２０は、第一弾性体ユニット２０の全体を覆うカバー（図示なし）をさらに備えている。カバーは、例えば伸縮性を有するウレタン等の弾性体によって、第一弾性体ユニット２０の外形状に沿って形成されている。
【００２３】
第二弾性体ユニット３０は、凹部１０ａ内において、第一弾性体ユニット２０を挟むように、第一弾性体ユニット２０の前方および後方に配設されている。前方の第二弾性体ユニット３０は、前方に頭部を向けた就寝者の肩部を少なくとも支持する位置に配設されている。後方の第二弾性体ユニット３０は、マットレス１が前後方向を反対にするように配置変更された場合、第一弾性体ユニット２０の前方に位置することにより、前方に頭部を向けた就寝者の少なくとも肩部を支持する。
【００２４】
第二弾性体ユニット３０は、上下方向に重なる二層構造に形成され、下方から順に、下の層である第二弾性部材層３１（特許請求の範囲の弾性部材層に相当）および上の層である第二上層３２を備えている。
第二弾性部材層３１は、底面が凹部１０ａの底面に接触するように配設されている。第二弾性部材層３１は、複数の弾性部材３１ａおよび弾性部材３１ａを収納する収納部材３１ｂを備えている。
【００２５】
弾性部材３１ａは、上述した弾性部材２２ａと同じものである。収納部材３１ｂは、直方体状に形成されている。収納部材３１ｂは、上下方向に貫通し、弾性部材３１ａを同軸的に収納する収納穴３１ｂ１が、弾性部材３１ａの配置に合わせて複数形成されている。収納部材３１ｂは、収納部材２２ｂと同じ弾性体にて形成されている。
【００２６】
また、第二弾性部材層３１の上面の位置は、第一弾性部材層２２の上面の位置より上下方向において下方となるように設定されている。このように第二弾性部材層３１の上面の位置を設定した理由について説明する。
図５に示すように、従来のマットレスのように、第二弾性部材層３１の上面が第一弾性部材層２２の上面と上下方向において同じ位置に配設された場合において、就寝者が横向きであるとき、マットレス１の上面Ｓからの就寝者の肩部の下降量Ｌｓは、臀部の下降量Ｌｈより大きい。一方、就寝者が仰向けであるときにおいては、臀部の下降量の方が、肩部の下降量より大きい。
【００２７】
また、一般的に、横向きである就寝者の肩部の下降量Ｌｓは、仰向けである就寝者の臀部の下降量より大きい。よって、横向きである就寝者の肩部を支持する第二弾性部材層３１の変形量が、仰向けである就寝者の臀部を支持する第一弾性部材層２２の変形量より大きくなるときがある。このとき、第二弾性部材層３１の弾性部材３１ａの変形量Ｈが、第一弾性部材層２２の弾性部材２２ａの変形量Ｈより大きくなることにより、第二弾性部材層３１の体圧分散性が第一弾性部材層２２の体圧分散性より低下する。
そこで、横向きである就寝者からの荷重に対する弾性部材３１ａの変形量Ｈを減少させるため、第二弾性部材層３１の上面を、図６に示すように、第一弾性部材層２２の上面より上下方向において下方に位置させている。例えば、第二弾性部材層３１の上面が、第一弾性部材層２２の上面より上下方向において２０ｍｍ下方に位置するように、第二弾性部材層３１の上面の位置が設定されている。
【００２８】
次に、第二弾性部材層３１の上面を、第一弾性部材層２２の上面より２０ｍｍ下方に位置させた理由について説明する。横向きである就寝者の上半身において、一般的に、腋から腰までの部位は、マットレス１に対する沈み込み量が比較的少ない。よって、第二弾性部材層３１の上面の位置を、人体における腋の位置を基準とした肩部の突出量Ｐｓに基づいて設定することができる。肩部の突出量Ｐｓは、肩峰幅と脇幅との差に基づいて設定することができる。具体的には、肩部の突出量Ｐｓは、図７に示す肩峰幅Ｗｓｐと腋幅Ｗａとの差の半分の値に設定することができる（Ｐｓ＝（Ｗｓｐ−Ｗａ）／２）。肩峰幅Ｗｓｐおよび腋幅Ｗａは、例えば（社）人間生活工学研究センターの人体寸法データベース等を参照することにより算出される。肩部の突出量Ｐｓは、例えば、男性の９５パーセンタイル値に設定した場合、３４．５ｍｍとなる。また、例えば、女性の５パーセンタイル値に設定した場合、肩部の突出量Ｐｓは、２８．５ｍｍとなる。これにより、肩部の突出量Ｐｓの最大値を、３５ｍｍに設定することができる。
【００２９】
上述した弾性部材２２ａと同様に、弾性部材３１ａは、就寝者からの荷重に対する変形量Ｈが１５ｍｍ以下である場合、良好な体圧分散機能を発揮する。肩部の突出量Ｐｓの最大値が３５ｍｍに設定されたため、第二弾性部材層３１の上面の第一弾性部材層２２の上面から２０ｍｍ下げた場合、弾性部材３１ａの変形量Ｈを１５ｍｍ以下に抑制ことができる。このように、第二弾性体ユニット３０の第二弾性部材層３１の位置は、就寝者の肩峰幅Ｗｓｐと腋幅Ｗａとの差に基づいて設定されている。
【００３０】
また、弾性部材３１ａの配置は、図１に示すように、弾性部材２２ａと同様に、上面視において千鳥状に配設されている。弾性部材３１ａの個数や弾性部材３１ａ間の距離等は、横向きである就寝者および仰向けである就寝者に対して、就寝者のマットレスと接触する部位のうち、就寝者に作用する圧力値が所定圧力値より大きくなる部位を、減少させるように設定されている。弾性部材３１ａの個数や弾性部材３１ａ間の距離等は、実験等により実測されて設定されている。このように、第二弾性部材層３１は、就寝者からの荷重に応じて弾性変形する弾性部材３１ａが複数配設されることにより、就寝者からの荷重を分散して、就寝者に作用する圧力値を低減する体圧分散機能を備えている。
【００３１】
第二上層３２は、例えば弾性部材３１ａの破損等を防止して、第二弾性部材層３１を保護するものである。第二上層３２は、図２に示すように、底面が第二弾性部材層３１の上面に接触するように配設されている。第二上層３２は、例えば発泡ウレタン等の弾性体によって形成されている。この弾性体の硬度は、第二弾性部材層３１の保護のため、第二弾性部材層３１の硬度より高くなるように形成されている。また、第二上層３２の厚みは、第二上層３２の上端を第一上層２３の上面に近づけるため、第一上層２３の厚みより厚くなるように形成されている。第二上層３２の厚みは、例えば２０ｍｍである。
【００３２】
また、第二上層３２の上面は、プロファイル加工が施されている。プロファイル加工は、表面を凹凸状（波形状）に形成する加工である。このプロファイル加工により、第二上層３２は、上面が平面状に形成されている場合と比べて、就寝者からの荷重に対する上下方向における変形量が大きくなるため、就寝者からの荷重を第二弾性部材層３１に伝達することができる。よって、第二上層３２が第二弾性部材層３１の変形を妨げないため、第二弾性部材層３１は、体圧分散機能を発揮できる。
なお、上述したベース部材１０を形成する弾性体の硬度は、第二弾性部材層３１の硬度より高く設定されている。これにより、ベース部材１０は、ベース部材１０の凹部１０ａの底面に配設された第二弾性部材層３１を、就寝者からの荷重によって変形させて体圧分散機能を発揮させるように、支持することができる。
【００３３】
また、第二弾性体ユニット３０は、第一弾性体ユニット２０と同様に、第二弾性体ユニット３０の全体を覆うカバー（図示なし）をさらに備えている。
また、マットレス１は、マットレス１の外形状に沿って形成され、マットレス１の全体を覆う外装カバー（図示なし）およびキルト層（図示なし）をさらに備えている。外装カバーは、例えば化繊織物である。また、キルト層は、マットレス１の側面および上面と外装カバーとの間に配設され、例えば発泡ウレタンによって形成されている。外装カバーの厚みは、各弾性部材２２ａ，３１ａの妨げにならないように、比較的薄肉に設定されている。なお、就寝者の頭部には、各弾性体ユニット２０，３０は配設されていない。
【００３４】
次に、上述したマットレス１において、横向きである標準体型（身長１７４ｃｍ、体重６８Ｋｇ）の就寝者Ｍからの荷重が作用した場合の作動について説明する。
就寝者Ｍがマットレス１に横向きに寝ている場合、各弾性部材層２２，３１は、就寝者Ｍの身体のラインの合わせて沈み込むように変形する。この場合、横向きである就寝者Ｍは、図６に示すように、肩部の下降量Ｌｓが臀部の下降量Ｌｈより大きい。第二弾性部材層３１における就寝者Ｍの肩部が接触する部位においては、第二上層３２が、就寝者Ｍの肩部によって圧縮されて、下方に向けて凸状に湾曲し、つぶされるように変形して、就寝者Ｍからの荷重を第二弾性部材層３１に伝達する。これにより、第二弾性部材層３１の弾性部材３１ａが、就寝者Ｍからの荷重を分散するように弾性変形する。このとき、第二弾性部材層３１の上面の位置は、第一弾性部材層２２の上面の位置より上下方向に下方となっているため、各弾性部材層２２，３１の上面が同一位置である場合と比べて、弾性部材３１ａの上下方向の変形量Ｈが減少する。
【００３５】
その結果、上述したマットレス１の就寝者Ｍに作用する圧力値が、図８に示すように分布する。具体的には、マットレス１における就寝者Ｍの肩部に作用する最大圧力値Ｐｍａｘは、１１．４４ｋＰａ（８６ｍｍＨｇ）である。これは、すべての弾性部材層の位置が同一である従来のマットレスの最大圧力値Ｐｍａｘ＝１２．７７ｋＰａ（９６ｍｍＨｇ；図９参照）と比べて減少している。また、就寝者のマットレス１と接触する部位のうち、就寝者Ｍに作用する圧力値が所定圧力値（５．３ｋＰａ（４０ｍｍＨｇ））より大きい就寝者Ｍの部位の面積は、従来のマットレスが１７０ｍｍ２であるのに対し、本実施形態のマットレス１は、１２０ｍｍ２に減少している。
このように、第二弾性体ユニット３０の第二弾性部材層３１の上面の位置は、就寝者のマットレス１と接触する部位のうち、就寝者に作用する圧力値が所定圧力値より大きくなる部位を、減少させるように設定されている。
なお、就寝者の脚部を支持する後方に配設された第二弾性体ユニット３０における第二上層３２においては、脚部からの荷重が比較的小さいため、第二上層３２の変形量が比較的小さい。よって、第二上層３２は、比較的つぶされていない状態である。
【００３６】
本実施形態によれば、マットレス１は就寝者からの荷重に応じて弾性変形する弾性部材２２ａ，３１ａが複数配設されることにより、就寝者からの荷重を分散して、就寝者に作用する圧力値を低減する体圧分散機能を備えた弾性部材層２２，３１をそれぞれ有する第一弾性体ユニット２０および第二弾性体ユニット３０を備えている。第一弾性体ユニット２０は、就寝者の臀部を支持し、第二弾性体ユニット３０は、就寝者の肩部を支持する。第二弾性体ユニット３０の第二弾性部材層３１の上面の位置は、第一弾性体ユニット２０の第一弾性部材層２２の上面の位置より上下方向に下方となるように設定されている。
これによれば、就寝者の肩部を支持する第二弾性体ユニット３０の第二弾性部材層３１の上面の位置は、就寝者の臀部を支持する第一弾性体ユニット２０の第一弾性部材層２２の上面の位置より上下方向において下方となるように設定されている。よって、第二弾性体ユニット３０の第二弾性部材層３１の上面の位置が第一弾性体ユニット２０の第一弾性部材層２２の上面の位置と上下方向において同一位置である場合と比べて、第二弾性体ユニット３０の第二弾性部材層３１において、横向きである就寝者の肩部からの荷重による弾性部材３１ａの上下方向の変形量Ｈを低減させることができる。したがって、弾性部材３１ａの変形量Ｈが、就寝者からの荷重を十分に分散できる範囲（１５ｍｍ以下）を超えて大きくなることを抑制することができるため、就寝者が横向きである場合においても、第二弾性体ユニット３０の第二弾性部材層３１ひいてはマットレス１の体圧分散性を向上することができる。
【００３７】
また、第二弾性体ユニット３０の第二弾性部材層３１の上面の位置は、就寝者のマットレス１と接触する部位のうち、就寝者に作用する圧力値が所定圧力値より大きくなる部位を、減少させるように設定されている。
これによれば、就寝者がマットレス１と接触する部位のうち、就寝者に作用する圧力値が所定圧力値より大きくなる部位が減少するため、就寝者は、例えば褥瘡等の発生を抑制することができる。
【００３８】
また、第二弾性体ユニット３０の第二弾性部材層３１の上面の位置は、就寝者の肩峰幅Ｗｓｐと腋幅Ｗａとの差に基づいて設定されている。
これによれば、第二弾性部材層３１の上面の位置を簡便に設定することができる。
【００３９】
また、第一弾性体ユニット２０は、第一弾性体ユニット２０の第一弾性部材層２２の上面に配設され、弾性体によって形成された第一上層２３をさらに備え、第二弾性体ユニット３０は、第二弾性体ユニット３０の第二弾性部材層３１の上面に配設され、弾性体によって形成された第二上層３２をさらに備え、第二上層３２の厚みは、第一上層２３の厚みより厚くなるように設定され、第二上層３２の上面は、凹凸状に形成されている。
これによれば、第二上層３２の厚みは、第一上層２３の厚みより厚くなるように形成されているため、第二弾性部材層３１の上面の位置が第一弾性部材層２２の上面の位置より上下方向に下方である場合においても、第二弾性体ユニット３０の上面（上端部）の位置を第一弾性体ユニット２０の上面の位置に、上下方向において近づけることができる。よって、就寝者は、仰向けである場合においても、違和感がなく、快適な使用感を得ることができる。
また、第二上層３２の厚みを、第一上層２３の厚みより厚くなるように形成した場合においても、第二上層３２の上面が凹凸状に形成されているため、上面が平面状に形成されている場合と比べて、就寝者からの荷重による第二上層３２の変形量が大きくなる。よって、第二上層３２は、就寝者からの荷重を第二弾性部材層３１に伝達することができる。
【００４０】
また、弾性部材２２ａ，３１ａは、熱可塑性エラストマーによって、柱状に形成されている。
これによれば、熱可塑性エラストマーは、長期間に亘って安定して弾性変形することができるため、就寝者からの荷重を長期間に亘って確実に分散することができる。よって、就寝者は、快適な使用感を長期間に亘って得ることができる。
また、熱可塑性エラストマーが、スチレン系エラストマーである場合、弾性部材２２ａ，３１ａの硬度の温度依存性が低い。これにより、就寝者が長時間連続して就寝して、弾性部材２２ａ，３１ａの温度が変化するような場合においても、就寝者からの荷重を長時間に亘って確実に分散することができる。よって、就寝者は、長時間連続して就寝した場合においても、快適な使用感を長時間に亘って得ることができる。
さらに、熱可塑性エラストマーが、スチレン系エラストマーである場合、弾性部材２２ａ，３１ａを射出成型によって形成することが可能であるため、弾性部材２２ａ，３１ａを簡便に形成することができる。
【００４１】
なお、上述した実施形態において、マットレスの一例を示したが、本発明はこれに限定されず、他の構成を採用することもできる。例えば、弾性部材２２ａと弾性部材３１ａとが同じ形状および材質であるが、これに代えて、弾性部材２２ａと弾性部材３１ａとを異なる形状および材質にしても良い。
また、上述した実施形態において、第二弾性部材層３１の上面の位置と、第一弾性部材層２２の上面の位置との上下方向の差を２０ｍｍに設定しているが、これに代えて、２０ｍｍより多い値、または２０ｍｍより少ない値にしても良い。
【００４２】
また、上述した実施形態において、第二弾性部材層３１の上面の位置は、肩峰幅Ｗｓｐと腋幅Ｗａとの差に基づいて設定されているが、この肩峰幅Ｗｓｐに代えて、肩幅Ｗｓとしても良い（図７参照）。
また、上述した実施形態において、弾性部材２２ａ，３１ａは、熱可塑性エラストマーによって柱状に形成されているが、これに代えて、コイルスプリングにしても良い。
【符号の説明】
【００４３】
１…マットレス、１０…ベース部材、２０…第一弾性体ユニット、２１…台座層、２２…第一弾性部材層（弾性部材層）、２２ａ…弾性部材、２３…第一上層、３０…第二弾性体ユニット、３１…第二弾性部材層（弾性部材層）、３１ａ…弾性部材、３２…第二上層、Ｐｓ…肩部の突出量、Ｗａ…腋幅、Ｗｓｐ…肩峰幅。
【図１】
0006379964.tif 000002
【図２】
0006379964.tif 000003
【図３】
0006379964.tif 000004
【図４】
0006379964.tif 000005
【図５】
0006379964.tif 000006
【図６】
0006379964.tif 000007
【図７】
0006379964.tif 000008
【図８】
0006379964.tif 000009
【図９】
0006379964.tif 000010